(57)【要約】【課題】持ち運び時におけるレジ袋の破れを防止でき、落下強度も確保されるマルチパック包装体を提供する。【解決手段】天板１の両側に側板２及び底板３が順次連設され、側板２が下部側折線２ｂでの折れ曲がりに伴い、缶Ｃの外周下部の傾斜に沿い、底板３同士が係合してスリーブ状に保形され、底板３から側板２の下部にかけて切込により形成された固定片８が折り曲げられ、固定片８の先端部が缶Ｃの底部の凹部周縁に係合すると共に、固定片８の抜出部から側板２の下部へ及ぶ抜穴９に缶Ｃの底部外周が嵌合して、端面開口部から缶Ｃが抜け止めされるマルチパック包装体において、側板２の下部の端縁には、下部側折線２ｂの端部に臨む近傍部分が丸みを持って切り込まれた湾入切込部１０を形成し、側板２の端部寄りの抜穴９の外側部分から上方へ向けて、誘導切目線１１を入れる。【選択図】図１
2019043632.tif 000002
【特許請求の範囲】
【請求項１】
天板(1)の両側に側板(2)及び底板(3)が順次連設されて、整列した複数本の缶を包み込むように折り曲げられ、側板(2)の下部は、底板(3)との境界の下稜線(2a)に近接した下部側折線(2b)での折れ曲がりに伴い、缶の外周下部の傾斜に沿い、底板(3)同士が係合してスリーブ状に保形され、
前記底板(3)から側板(2)の下部にかけて切込により形成された固定片(8)が折り曲げられ、固定片(8)の先端部が缶の底部の凹部周縁に係合すると共に、固定片(8)の抜出部から側板(2)の下部へ及ぶ抜穴(9)に缶の底部外周が嵌合して、端面開口部から缶が抜け止めされるマルチパック包装体において、
前記側板(2)の下部の端縁には、下部側折線(2b)の端部に臨む近傍部分が丸みを持って切り込まれた湾入切込部(10)が形成され、
前記側板(2)の端部寄りの抜穴(9)の外側部分から上方へ向けて、誘導切目線(11)が入れられていることを特徴とするマルチパック包装体。
【請求項２】
前記誘導切目線(11)は、抜穴(9)側の切線部(11a)よりも上部側の切線部(11b)が側板(2)の端縁に近接していることを特徴とする請求項１に記載のマルチパック包装体。
【請求項３】
前記誘導切目線(11)には、２か所以上５か所以下の繋部(11c)が設けられていることを特徴とする請求項１又は２に記載のマルチパック包装体。
【発明の詳細な説明】
【技術分野】
【０００１】
この発明は、複数本の飲料缶等を纏めて持ち運べるように包装する板紙製のマルチパック包装体に関するものである。
【背景技術】
【０００２】
一般に、飲料入りの缶を複数本纏めて持ち運ぶための板紙製のマルチパック包装体として、図５に示すようなものが使用されている（下記特許文献１参照）。
【０００３】
このマルチパック包装体は、天板５１の両側に順次連設された側板５２及び底板５３が整列した複数本の缶Ｃを包み込むように折り曲げられ、側板５２の下部が底板５３との境界の下稜線５２ａに近接した下部側折線５２ｂでの折れ曲がりに伴い、缶Ｃの外周下部の傾斜に沿い、底板５３同士が係合してスリーブ状に保形される。
【０００４】
また、側板５２の端縁の中間部から上方に連設された折込片５４が内側へ折れ曲がって側板５２の内面と缶Ｃの外周面との間に挟まれ、折込片５４と天板５１のコーナー部とを繋ぐ抱持片５５が缶Ｃの外周上部に当接する。
【０００５】
そして、底板５３から側板５２の下部にかけて切込により形成された固定片５６がＺ字状に折り曲げられ、固定片５６の先端部が缶Ｃの底部の凹部周縁に係合すると共に、固定片５６の抜出部から側板５２へ及ぶ抜穴５７に缶Ｃの底部外周が嵌合して、端面開口部から缶Ｃが抜け止めされる。
【０００６】
また、天板５１には、押し込みに伴い運搬用の指入穴が開口する一対の指穴片５１ａが半円状の切目線により形成されると共に、開封時に切断して缶Ｃを取り出すため、鉤状の切目が断続するジッパ型の開封線５１ｂが入れられている。
【先行技術文献】
【特許文献】
【０００７】
【特許文献１】登録実用新案第３１７６３０９号公報
【発明の概要】
【発明が解決しようとする課題】
【０００８】
ところで、上記のようなマルチパック包装体により纏めて包装された飲料の缶は、小売店での販売に際し、ポリエチレン等を材料とした手提げ式のいわゆるレジ袋に入れて持ち帰られる場合が多い。
【０００９】
しかしながら、上記のようなマルチパック包装体は、それ以前に多用されていた底角部にも抱持片５５を有する形式のものと異なり、側板５２の下部側折線５２ｂに沿った折曲部分の端縁が角張っている。
【００１０】
このため、飲料入りの缶を包装した状態でレジ袋に収納して持ち運ぶと、下部の角張った端縁がレジ袋の底部に擦れて、レジ袋が破れ、缶の重量によりレジ袋の破れが拡大し、マルチパック包装体がレジ袋から落下する恐れがある。
【００１１】
また、上記マルチパック包装体は、落下した場合、側板５２の下部が下部側折線５２ｂに沿って端縁から破断し、缶Ｃの底部の保持状態が失われて、端面開口部から缶Ｃが飛び出す恐れもある。
【００１２】
そこで、この発明は、持ち運び時におけるレジ袋の破れを防止でき、落下強度も確保されるマルチパック包装体を提供することを課題とする。
【課題を解決するための手段】
【００１３】
上記課題を解決するため、この発明は、天板の両側に側板及び底板が順次連設されて、整列した複数本の缶を包み込むように折り曲げられ、側板の下部は、底板との境界の下稜線に近接した下部側折線での折れ曲がりに伴い、缶の外周下部の傾斜に沿い、底板同士が係合してスリーブ状に保形され、
前記底板から側板の下部にかけて切込により形成された固定片が折り曲げられ、固定片の先端部が缶の底部の凹部周縁に係合すると共に、固定片の抜出部から側板の下部へ及ぶ抜穴に缶の底部外周が嵌合して、端面開口部から缶が抜け止めされるマルチパック包装体において、
前記側板の下部の端縁には、下部側折線の端部に臨む近傍部分が丸みを持って切り込まれた湾入切込部が形成され、
前記側板の端部寄りの抜穴の外側部分から上方へ向けて、誘導切目線が入れられているものとしたのである。
そして、前記湾入切込部により、レジ袋との擦れを回避し、前記誘導切目線により、落下時の破断位置が下部側折線からずれるようにしたのである。
【００１４】
また、前記誘導切目線は、抜穴側の切線部よりも上部側の切線部が側板の端縁に近接しているものとし、破断位置の誘導効果が確実に得られるようにしたのである。
【００１５】
また、前記誘導切目線には、２か所以上５か所以下の繋部が設けられているものとし、包装強度を確保しつつ、破断位置の誘導効果が確実に得られるようにしたのである。
【発明の効果】
【００１６】
この発明に係るマルチパック包装体では、側板の下部側折線に沿った折曲部分の端縁に湾入切込部が形成されているので、飲料入りの缶を包装した状態で、レジ袋に収納して持ち運ぶ際、側板の下部側折線に沿った折曲部分の端縁がレジ袋の底部に擦れなくなり、レジ袋の破れが防止される。
【００１７】
また、手持ち時に落としても、缶の底部外周が嵌合する抜穴から上方へ誘導切目線が入れられているので、側板の端縁が下部側折線で破断することなく、落下時の衝撃がその上方の誘導切目線の存在する部分へ逃がされて、缶の保持状態が維持され、端面開口部からの缶の飛び出しが防止される。
【図面の簡単な説明】
【００１８】
【図１】この発明に係るマルチパック包装体による缶の集合包装状態を示す斜視図
【図２】同上のレジ袋に収納した状態を示す斜視図
【図３】同上のマルチパック包装体のブランクを示す図（表面側）
【図４】同上の図３のＡ部拡大図（裏面側）
【図５】特許文献１に係るマルチパック包装体による缶の集合包装状態を示す斜視図
【発明を実施するための形態】
【００１９】
以下、この発明の実施形態を添付図面に基づいて説明する。
【００２０】
図１及び図２に示すように、このマルチパック包装体は、耐水性の板紙を材料とし、５００ｍｌの飲料入りの缶Ｃを６本纏めて、それ自体を指で吊り下げ、又はレジ袋Ｐに収納して持ち運べるように包装するものである。
【００２１】
このマルチパック包装体のブランクでは、図３に示すように、天板１の両側にそれぞれ側板２及び底板３が順次連設され、一方の底板３に差込片４及び係合片４ａが、他方の底板３に差込穴５及び係合穴５ａがそれぞれ設けられている。
【００２２】
差込穴５はスリット状であり、差込穴５に臨んで押込片５ｂが切込により形成されている。また、他方の底板３には、缶の底面に印字された賞味期限や製造番号等を確認するための確認窓５ｃが設けられている。
【００２３】
側板２の端縁は、包装時に下部となる部分よりも中間部分が後退し、天板１寄りの部分に折込片６が連設され、折込片６と天板１のコーナー部とは抱持片７で繋がれている。
【００２４】
側板２には、缶の下部の傾斜に沿わせるため、底板３との境界の下稜線２ａに並行するように、板紙の表面から押圧した押罫線の下部側折線２ｂが入れられている。側板２の両端部では、下稜線２ａと下部側折線２ｂの間隔が端縁へ向けて狭くなっている。
【００２５】
底板３から包装時に側板２の下部となる部分にかけては、先端が丸みを帯びた固定片８が切込により３個ずつ形成され、固定片８の基部及び中間部には、幅方向に延びる折目線が入れられている。固定片８は、包装時の折目線に沿った折り曲げに伴い起こされて、その抜出により側板２と底板３の境界部分の抜穴９が拡大される。
【００２６】
抜穴９の端縁に臨む部分では、抜穴９からの破れを防止するため、下部側折線２ｂが途切れており、抜穴９に挟まれた下部側折線２ｂの端部には、短い切目が下部側折線２ｂに直交するように入れられている。
【００２７】
また、天板１には、押し込みに伴い運搬用の指入穴が開口する一対の指穴片１ａが半円状の切目線により形成されると共に、缶を取り出すため、双方向の切断を可能とするように切目が配置された開封線１ｂが入れられている。
【００２８】
そして、側板２の端縁の包装時における下部には、下部側折線２ｂの端部に臨む近傍部分が丸みを持って切り込まれた湾入切込部１０が形成されている。
【００２９】
また、側板２の端部寄りの抜穴９の外側部分から包装時における上方へ向けて、誘導切目線１１が入れられている。誘導切目線１１は、途中で曲がり、抜穴９側の切線部１１ａよりも上部側となる切線部１１ｂが側板２の端縁に近接するように外側へ迫り出し、切線部１１ｂの上端部が内側へ曲がっている。
【００３０】
誘導切目線１１には、図４に示すように、切目が途切れた繋部１１ｃが切線部１１ａに２か所設けられ、切線部１１ｂに１か所設けられている。
【００３１】
さらに、誘導切目線１１から側板２の端縁の後退した中間部分へかけて、板紙の表面から押圧した押罫線の逃折線１２が入れられている。
【００３２】
上記のようなマルチパック包装体により、図１に示すように、６本の缶Ｃを集合包装するには、３本ずつ２列に並べた缶Ｃの上面に天板１を被せ、両側の側板２を下方へ折り曲げ、側板２の下部を下部側折線２ｂでの折れ曲がりに伴い、缶Ｃの下部の傾斜に沿わせ、底板３を内側へ折り曲げる。そして、底板３の係合片４ａと係合穴５ａを係合させ、差込片４を差込穴５へ差し込んで、底板３同士を連結し、スリーブ状に保形する。
【００３３】
また、折込片６を内側へ折り込んで、側板２の内面と缶Ｃの外周面との間に挟み、抱持片７を缶Ｃの上部外周に当接させて、缶Ｃの上部を保持する。
【００３４】
さらに、固定片８を基部及び中間部の折目線に沿ってＺ字状となるように互いに逆方向へ折り曲げ、固定片８の先端を缶Ｃの底面の凹部周縁に係合させ、缶Ｃの底部外周を側板２と底板３の境界部分に形成された抜穴９に嵌合させて、缶Ｃの下部を保持することにより、両端面の開口部から缶Ｃを抜け止めする。
【００３５】
上記のようなマルチパック包装体では、側板２の下部側折線２ｂに沿った折曲部分の端縁に湾入切込部１０が形成されているので、飲料入りの缶Ｃを包装した状態で、図２に示すように、レジ袋Ｐに収納して持ち運ぶ際、側板２の下部側折線２ｂに沿った折曲部分の端縁がレジ袋Ｐの底部に擦れなくなり、レジ袋Ｐの破れが防止される。
【００３６】
また、指で吊り下げる手持ちでの運搬に際し、不意に落としても、缶Ｃの底部外周が嵌合する抜穴９から上方へ向けて誘導切目線１１が入れられているので、側板２の端縁が下部側折線２ｂで破断することなく、側板２の端縁が下部側折線２ｂで破断することなく、落下時の衝撃がその上方の誘導切目線１１の存在する部分へ逃がされ、衝撃の程度に応じて繋部１１ｃが破断し、逃折線１２に沿って折れ曲がる。
【００３７】
このため、湾入切込部１０の部分で側板２の端縁と抜穴９の距離が短くなっていても、
図１に示すように、缶Ｃの抱持片７、固定片８及び抜穴９による保持状態が維持され、端面開口部からの缶Ｃの飛び出しが防止される。
【００３８】
また、落下時の衝撃は、両端寄りの抜穴９から上方外側へ向かって作用するので、誘導切目線１１の抜穴９側の切線部１１ａよりも上部側の切線部１１ｂを側板２の端縁に近接させることで、衝撃力をより効率的に逃がすことができ、さらに、切線部１１ｂの上端部が内側へ曲がっているので、仮に側板２が誘導切目線１１から破断しても、その破断が側板２の端縁に達することがない。
【００３９】
なお、上記実施形態では、誘導切目線１１の切線部１１ａ，１１ｂに合計３か所の繋部１１ｃを設けているが、繋部１１ｃが１か所だけの場合、落下強度が低下し、５か所より多い場合には、落下時に側板２の下部端縁の破断位置を誘導できず、下部側折線２ｂの位置で破断してしまうことがあるため、誘導切目線１１の繋部１１ｃの数は、２か所以上５か所以下としておくことが好ましい。
【００４０】
また、５００ｍｌ入りの缶Ｃを６本包装するものについて例示したが、上記のような技術上の特徴事項は、包装する缶の大きさや本数の異なる様々な種類のマルチパック包装体に適用することができる。
【符号の説明】
【００４１】
１  天板
１ａ  指穴片
１ｂ  開封線
２  側板
２ａ  下稜線
２ｂ  下部側折線
３  底板
４  差込片
４ａ  係合片
５  差込穴
５ａ  係合穴
５ｂ  押込片
５ｃ  確認窓
６  折込片
７  抱持片
８  固定片
９  抜穴
１０  湾入切込部
１１  誘導切目線
１１ａ，１１ｂ  切線部
１１ｃ  繋部
１２  逃折線
Ｃ  缶
Ｐ  レジ袋
【図１】
2019043632.tif 000003
【図２】
2019043632.tif 000004
【図３】
2019043632.tif 000005
【図４】
2019043632.tif 000006
【図５】
2019043632.tif 000007